(57)【要約】【課題】  被監視者が徘徊していることを正確に監視者に知らせるようにする。【解決手段】  ベッド上に居る人が離床したことを検出するための離床センサ１をベッド上に設置し、ベッド近傍に居る人を検出するための足元センサ２を離床センサ１が設置されているベッド近傍に設置する。離床センサ１が離床を検出した後に足元センサ２が人を検出すると時間の計測を開始する。計測した時間が所定時間となっても、離床を検出したままである場合、被監視者が徘徊していることを報知する。これにより、ベッドから起き上がった被監視者が床に足を付けた場合やベッドから起き上がった被監視者が少し出歩いた場合には、所定時間が経過するまでに被監視者が着床すれば報知が行われない。また、離床センサ１のみが離床を検出した場合には報知が行われない。また、足元センサ２のみがベッドの近傍の人を検出した場合には報知が行われない。【選択図】        図２
2010273939.tif 000002
【特許請求の範囲】
【請求項１】
ベッド上に居る人が離床したことを検出する第１のセンサと、
前記ベッド近傍に設置され、前記ベッド近傍に居る人を検出するための第２のセンサと、
前記ベッド上から人が居なくなったことを報知する報知部と、
時間を計測するタイマー部と、
前記第１のセンサが離床を検出した場合または前記第１のセンサが離床を検出した後に前記第２のセンサが前記ベッド近傍の人を検出した場合に、前記タイマー部の動作を開始させるとともに、前記タイマー部が計測した時間が所定時間となっても、前記第１のセンサが離床を検出したままである場合に、前記報知部を動作させる制御部と、
を備えたことを特徴する徘徊検出システム。
【発明の詳細な説明】
【技術分野】
【０００１】
本発明は、病院や介護施設などで患者や被介護者が徘徊したことを発見するための徘徊検出システムに関する。
【背景技術】
【０００２】
従来、病院や介護施設（以下、施設とする）では、患者や被介護者（以下、被監視者とする）がベッドを離れて徘徊することがあった。被監視者が徘徊した場合、被監視者の周囲の状況によっては、被監視者の身に危険が生じてしまうことがあった。そこで、被監視者が徘徊している場合には、そのことを医療従事者や介護者（以下、監視者とする）に知らせる必要があった。
【０００３】
ところで、被監視者が徘徊していることを検出する徘徊検出装置が知られている（例えば、特許文献１など）。特許文献１に記載の徘徊検出装置では、被監視者が使用するベッド近傍に第１のシート状センサを配置するとともに、第１のシート状センサよりも遠方に第２のシート状センサを配置している。被監視者や監視者などが第１のシート状センサや第２のシート状センサを踏むと、第１のシート状センサや第２のシート状センサは、シート上の荷重を検出することで人体を検出する。そして、第１のシート状センサが人体を検出した後に第２のシート状センサが人体を検出した場合に、ベッドに居た被監視者が離床して徘徊したと判断して、徘徊したことを示す徘徊検出信号をナースコール装置などへ出力するようにしている。これにより、特許文献１に記載の徘徊検出装置から出力された徘徊検出信号を入力したナースコール装置などでは、徘徊が発生した旨を示す警報や表示が行われるので、被監視者が徘徊したことを監視者に知らせることができる。
【０００４】
しかしながら、特許文献１に記載の徘徊検出装置では、第１のシート状センサが人体を検出した後に第２のシート状センサが人体を検出すると徘徊検出信号を出力するので、被監視者が第１のシート状センサを踏んだ後に、その被監視者と同じ部屋を使用している人が部屋から出ようとしたり、監視者などが被監視者の部屋に入ってきたりして、第２のシート状センサを踏んだ場合などでも、被監視者が部屋に居たままであるにも係わらず、徘徊検出信号を出力してしまうという問題があった。
【０００５】
また、特許文献１には、離床センサをベッド上に配置するとともに、第２のシート状センサをベッド近傍に配置する変形例が記載されている。ここで、離床センサは、例えばシート状センサや赤外線センサ、超音波センサなどである。この徘徊検出装置では、ベッドに居た被監視者が起き上がると、離床センサがシート上の荷重の変化または赤外線若しくは超音波の検出量の変化を検出することで人体が離床したことを検出する。そして、起き上がった被監視者が床に足を付けると、第２のシート状センサがシート上の荷重を検出することで人体を検出して、徘徊検出信号を出力する。この場合、第２のシート状センサが被監視者の近傍に設置されているので、監視の対象となっている被監視者のみが検出されるようになる。従って、被監視者と同じ部屋を使用している人が部屋から出たり、監視者などが被監視者の部屋に入ってきたりしても、第２のシート状センサが踏まれなくなり、被監視者が部屋に居たままであるにも係わらず、徘徊検出信号を出力することがなくなる。しかしながら、この徘徊検出装置では、ベッドに居る被監視者が起き上がって床に足を付けただけで、徘徊検出信号が出力されてしまうという問題があった。
【先行技術文献】
【特許文献】
【０００６】
【特許文献１】特開２００７−１２２４４７号公報
【発明の概要】
【発明が解決しようとする課題】
【０００７】
本発明は、このような問題を解決するために成されたものであり、被監視者が徘徊していることを正確に監視者に知らせるようにすることを目的とする。
【課題を解決するための手段】
【０００８】
上述した課題を解決するために、本発明の徘徊検出システムでは、ベッド上に居る人が離床したことを検出するための第１のセンサと、ベッド近傍に設置され、ベッド近傍に居る人を検出する第２のセンサとを備えている。そして、第１のセンサが離床を検出した場合または第１のセンサが離床を検出した後に第２のセンサがベッド近傍の人を検出した場合に、時間の計測を開始し、その計測した時間が所定時間となっても第１のセンサが離床を検出したままである場合に、報知を行っている。
【発明の効果】
【０００９】
上記のように構成した本発明では、計測した時間が所定時間となっても第１のセンサが離床を検出したままである場合には、被監視者がベッドに戻っていないと判断されて報知が行われる。一方、計測した時間が所定時間となるまでに第１のセンサが離床の検出を停止して着床を検出した場合には、被監視者がベッドに戻ったと判断されて報知が行われない。これにより、被監視者がベッドから起き上がって第１のセンサが離床を検出し、起き上がった被監視者が床に足を付けて第２のセンサがベッド近傍の人を検出した場合でも、所定時間が経過するまでに被監視者が着床すれば、報知が行われない。また、被監視者がベッドから起き上がって第１のセンサが離床を検出し、起き上がった被監視者が立ち上がって第２のセンサがベッド近傍の人を検出して、被監視者が出歩いた場合でも、所定時間が経過するまでに被監視者が着床すれば、報知が行われない。また、第１のセンサのみが離床を検出した場合には、被監視者が起き上がっただけであると判断されて報知が行われない。また、第２のセンサのみがベッド近傍の人を検出した場合には、第２のセンサが他の被監視者や監視者を検出しただけであると判断されて報知が行われない。従って、被監視者が徘徊していることを正確に監視者に知らせることができる。
【図面の簡単な説明】
【００１０】
【図１】本実施形態による徘徊検出システムの構成例を示すブロック図である。
【図２】本実施形態による徘徊検出システムのセンサの配置例を示す説明図である。
【図３】本実施形態による徘徊検出システムの動作を示すフローチャートである。
【発明を実施するための形態】
【００１１】
以下、本発明の一実施形態を図面に基づいて説明する。本実施形態による徘徊検出システムの構成例を示すブロック図を図１に示す。同図に示すように、本実施形態による徘徊検出システムは、離床センサ（特許請求の範囲の第１のセンサに該当する）１、足元センサ（特許請求の範囲の第２のセンサに該当する）２、報知装置３を備えて構成されている。
【００１２】
また、報知装置３は、制御部４、記憶部５、インターフェース（以下、Ｉ／Ｆとする）部６、タイマー部７、報知部８を備えて構成されている。
【００１３】
図１において、離床センサ１は、赤外線センサなどにより構成されており、ベッド上に居る人（以下、被監視者とする）が離床したことを検出するためのものである。ここで、離床とは、被監視者がベッドから起き上がったことや被監視者がベッドから降りたことを示す。また、図２に示すように、離床センサ１は、被監視者がベッド１０上のどの位置に居ても離床を検出することができるように、ベッド１０上に設置されている。また、離床センサ１は、徘徊の監視を必要する被監視者が使用するベッド１０につき、少なくとも一台以上設置されている。また、離床センサ１は、報知装置３に伝送線を介して接続されている。
【００１４】
また、離床センサ１は、ベッド１０上に赤外線を放射し、人体などの検出物体に反射した赤外線を受光する。例えば、被監視者がベッド上で寝ている状態では、離床センサ１から放射された赤外線は、離床センサ１から近い場所にある頭または足などで反射する。また、被監視者がベッド上から起き上がっている状態では、離床センサ１から放射された赤外線は、被監視者がベッド上で寝ている状態よりも離床センサ１から遠い場所にある胴体などで反射する。このことから、被監視者がベッド上から起き上がっている状態での赤外線の受光量は、被監視者がベッド上で寝ている状態での赤外線の受光量に比べて少なくなる。また、被監視者がベッドから降りている状態では、離床センサ１から放射された赤外線は、被監視者がベッド上に居ない（換言すると、ベッド上に検出物体が無い）ので人体では反射しない。そのため、被監視者がベッド上から起き上がっている状態での赤外線の受光量はほとんど無い。各状態における赤外線の受光量をもとに、離床センサ１は、赤外線の受光量と予め設定しておいた基準の受光量とを比較し、赤外線の受光量が基準の受光量よりも少ない場合に、報知装置３へ離床検出信号を出力する。ここで、離床センサ１は、離床を検出し続けている間、継続して離床検出信号を出力する。また、離床検出信号は、連続した信号で構成されていても良いし、複数のパルス信号が連なった信号で構成されていても良い。また、離床検出信号は、自装置を識別するための離床センサ識別情報（例えば、装置番号など）を含む。
【００１５】
足元センサ２は、シート状のセンサなどにより構成されており、ベッド近傍に人が居ることを検出するためのものである。ここで、図２に示すように、足元センサ２は、被監視者がベッド１０から降りたことを検出することができるように、ベッド１０の近傍に設置されている。また、足元センサ２は、ベッド１０の周辺のベッド柵が設置されていない部分に面して設置されている。この部分は、ベッド柵が設置されていないため、患者がベッドから降りやすくなっている。また、足元センサ２も、離床センサ１と同様に、徘徊の監視が必要とする被監視者が使用するベッド１０につき、少なくとも一台以上設置されている。また、足元センサ２は、報知装置３に伝送線を介して接続されている。また、足元センサ２は、シート上の荷重を検出することでベッド１０の近傍に人が居ることを検出する。シート上の荷重を検出すると、足元センサ２は、報知装置３へ足元検出信号を出力する。ここで、足元センサ２は、シート上の荷重を検出し続けている間、継続して足元検出信号を出力する。また、足元検出信号は、連続した信号で構成されていても良いし、複数のパルス信号が連なった信号で構成されていても良い。また、足元検出信号は、自装置を識別するための足元センサ識別情報（例えば、装置番号など）を含む。
【００１６】
報知装置３は、被監視者を監視する医療従事者や介護者（以下、監視者とする）が居る部屋（例えば、スタッフルーム）などに設置されており、被監視者が徘徊していることを監視者に知らせるためのものである。ここで、報知装置３には、各ベッド１０に設置されている離床センサ１や各ベッド１０の近傍に設置されている足元センサ２が接続されている。離床センサ１から出力された離床検出信号や足元センサ２から出力された足元検出信号を入力すると、報知装置３は、後述する判定処理により、被監視者が徘徊しているか否かを判定する。
【００１７】
制御部４は、報知装置３の各構成要素を後述するように制御する。記憶部５は、メモリなどの記憶装置により構成されており、被監視者が居るベッド１０を識別するためのベッド識別情報（例えば、ベッド番号など）、離床センサ１を識別するための離床センサ識別情報および足元センサ２を識別するための足元センサ識別情報を関連付けて記憶する。ここで、記憶部５に記憶されている各情報は、監視者などにより登録される。例えば、ベッド識別情報「ベッド番号００１」と、ベッド識別情報「ベッド番号００１」のベッド１０に設置されている離床センサ１の離床センサ識別情報「装置番号Ｒ００１」と、ベッド識別情報「ベッド番号００１」のベッド１０の近傍に設置されている足元センサ２の足元センサ識別情報「装置番号Ａ００１」とが関連付けて記憶部５に記憶されている。記憶部５がベッド識別情報、離床センサ識別情報および足元センサ識別情報を関連付けて記憶することにより、制御部４は、離床検出信号を出力した離床センサ１と足元検出信号を出力した足元センサ２とが同一のベッド１０に設置されているか否かを判断することができるとともに、徘徊している被監視者のベッド１０を特定することができる。
【００１８】
Ｉ／Ｆ部６は、離床センサ１および足元センサ２を接続しており、離床センサ１から出力された離床検出信号を入力し、足元センサ２から出力された足元検出信号を入力する。タイマー部７は、時間を計測するためのものである。報知部８は、被監視者が徘徊していることを報知するためのものである。また、報知部８は、スピーカや表示ディスプレイ、表示灯などにより構成されており、スピーカから呼び出し音や音声を出力させたり、表示ディスプレイに呼び出し表示を行わせたり、表示灯を点灯または点滅させたりして報知を行う。
【００１９】
制御部４は、Ｉ／Ｆ部６が離床センサ１から出力された離床検出信号を入力したか否かを判定するとともに、Ｉ／Ｆ部６が足元センサ２から出力された足元検出信号を入力したか否かを判定する。Ｉ／Ｆ部６が足元検出信号を入力したと制御部４にて判断した場合に、制御部４は報知部４を動作させない。これは、足元センサ４が被監視者以外の人（例えば、他の被監視者や監視者など）を検出し、被監視者が徘徊しておらず、報知を行う必要がないからである。
【００２０】
Ｉ／Ｆ部６が離床検出信号を入力したと制御部４にて判断した場合に、制御部４は、入力した離床検出信号に含まれる離床センサ識別情報を取得する。離床センサ識別情報を取得すると、制御部４は、記憶部５を参照し、取得した離床センサ識別情報に関連付けて記憶されている足元センサ識別情報を取得する。また、制御部４は、Ｉ／Ｆ部６が継続して離床検出信号を入力しているか否かを判定する。Ｉ／Ｆ部６が離床検出信号を入力しなくなったと制御部４にて判断した場合には、制御部４は報知部８を動作させない。これは、ベッド１０に居る被監視者がベッド１０から一時的に離床しただけであると判断されて、報知を行う必要がないからである。
【００２１】
一方、Ｉ／Ｆ部６が継続して離床検出信号を入力していると制御部４にて判断した場合には、制御部４は、記憶部５から取得した足元センサ識別情報と一致する足元センサ識別情報を含む足元検出信号を足元センサ２から入力したか否かを判定する。記憶部５から取得した足元センサ識別情報と一致する足元センサ識別情報を含む足元検出信号を足元センサ２から入力したと制御部４にて判断した場合には、制御部４はタイマー部７を動作させ、タイマー部７は時間の計測を開始する。また、それに併せて、制御部４は、タイマー部７が計測した時間が予め設定しておいた所定時間となるまでに、Ｉ／Ｆ部６が継続して離床検出信号を入力しているか否かを判定する。ここで、所定時間とは、被監視者が徘徊したとみなす時間である。なお、この所定時間は、監視者などにより任意に設定されるようにしても良い。
【００２２】
タイマー部７が計測した時間が所定時間となるまでに、Ｉ／Ｆ部６が離床検出信号を入力しなくなったと制御部４にて判断した場合には、制御部４は、タイマー部７の動作を停止させて報知部８を動作させない。これは、ベッド１０から離床した被監視者が所定時間内にベッド１０に戻り着床したものであると判断されて、報知を行う必要がないからである。
【００２３】
また、タイマー部７が計測した時間が所定時間となっても、Ｉ／Ｆ部６が継続して離床検出信号を入力していると制御部４にて判断した場合に、制御部４は、タイマー部７の動作を停止させるとともに、記憶部５を参照し、離床センサ識別情報に関連付けて記憶されているベッド識別情報を取得する。そして、制御部４は報知部８を動作させ、報知部８は、制御部４が取得したベッド識別情報により特定されるベッド１０に居る被監視者が徘徊していることを報知する。これは、ベッド１０から離床した被監視者が所定時間内にベッド１０に戻らずに徘徊したものであると判断されるからである。報知部８による報知が行われると、監視者は、報知装置３に備えた操作部（図示せず）を操作する。そして、操作部が操作されると、制御部４は、報知部８の動作を停止させる。
【００２４】
次に、本実施形態による徘徊検出システムの動作を説明する。図３は、本実施形態による徘徊検出システムの動作を示すフローチャートである。まず、制御部４は、Ｉ／Ｆ部６が離床センサ１から出力された離床検出信号を入力したか否かを判定する（ステップＳ１）。Ｉ／Ｆ部６が離床検出信号を入力していないと制御部４にて判断した場合には（ステップＳ１にてＮＯ）、ステップＳ１の処理に戻る。
【００２５】
一方、Ｉ／Ｆ部６が離床検出信号を入力したと制御部４にて判断した場合には（ステップＳ１にてＹＥＳ）、制御部４は、離床検出信号に含まれる離床センサ識別情報を取得し、記憶部５を参照して、取得した離床センサ識別情報に関連付けて記憶されている足元センサ識別情報を取得する（ステップＳ２）。そして、制御部４は、Ｉ／Ｆ部６が継続して離床検出信号を入力しているか否かを判定する（ステップＳ３）。Ｉ／Ｆ部６が離床検出信号を入力しなくなったと制御部４にて判断した場合には（ステップＳ３にてＮＯ）、ステップＳ１の処理に戻る。
【００２６】
一方、Ｉ／Ｆ部６が継続して離床検出信号を入力していると制御部４にて判断した場合には（ステップＳ３にてＹＥＳ）、制御部４は、記憶部５から取得した足元センサ識別情報と一致する足元センサ識別情報を含む足元検出信号を足元センサ２から入力したか否かを判定する（ステップＳ４）。記憶部５から取得した足元センサ識別情報と一致する足元センサ識別情報を含む足元検出信号を足元センサ２から入力していないと制御部４にて判断した場合には（ステップＳ４にてＮＯ）、ステップＳ３の処理に戻る。一方、記憶部５から取得した足元センサ識別情報と一致する足元センサ識別情報を含む足元検出信号を足元センサ２から入力した制御部４にて判断した場合には（ステップＳ４にてＹＥＳ）、制御部４はタイマー部７を動作させ、タイマー部７は時間の計測を開始する（ステップＳ５）。
【００２７】
タイマー部７が時間の計測を開始すると、制御部４は、Ｉ／Ｆ部６が継続して離床検出信号を入力しているか否かを判定する（ステップＳ６）。Ｉ／Ｆ部６が離床検出信号を入力しなくなったと制御部４にて判断した場合には（ステップＳ６にてＮＯ）、ステップＳ１の処理に戻る。一方、Ｉ／Ｆ部６が継続して離床検出信号を入力していると判断した場合には（ステップＳ６にてＹＥＳ）、制御部４は、タイマー部７が計測した時間が所定時間になったか否かを判定する（ステップＳ７）。タイマー部７が計測した時間が所定時間になっていないと制御部４にて判断した場合には（ステップＳ７にてＮＯ）、ステップＳ６の処理に戻る。
【００２８】
一方、タイマー部７が計測した時間が所定時間になったと制御部４にて判断した場合には（ステップＳ７にてＹＥＳ）、制御部４は、タイマー部７の動作を停止させて時間の計測を停止するとともに、被監視者が徘徊していることを報知する（ステップＳ８）。ここで、制御部４は、記憶部５を参照して離床センサ識別情報に関連付けて記憶されているベッド識別情報を取得することで、報知部８が報知する被監視者を特定している。
【００２９】
そして、制御部４は、操作部が操作されたか否かを判定する（ステップＳ９）。操作部が操作されていないと制御部４にて判断した場合には（ステップＳ９にてＮＯ）、ステップＳ９の処理を繰り返す。一方、操作部が操作されたと制御部４にて判断した場合には（ステップＳ９にてＹＥＳ）、制御部４は報知部８の動作を停止させ、報知部８は報知を停止する（ステップＳ１０）。そして、ステップＳ１の処理に戻る。
【００３０】
このように構成された徘徊検出システムは、離床センサ１が離床を検出した後に足元センサ２がベッド１０の近傍の人を検出し、所定時間が経過しても被監視者が離床したままである場合に、被監視者が徘徊したと判断している。本実施形態による徘徊検出システムは、被監視者の徘徊を検出しているが、それだけではなく、被監視者の転倒や転落を検出することもできる。また、本実施形態による徘徊検出システムを、病院などで患者からの要求に応じて医師や看護師などの医療従事者を呼び出すナースコールシステムなどに適用することもできる。
【００３１】
以上、詳しく説明したように、本実施形態の徘徊検出システムでは、ベッド上に居る人が離床したことを検出するための離床センサ１を、徘徊の監視を必要とする被監視者が使用するベッド１０上に設置し、ベッド１０の近傍に居る人を検出するための足元センサ２を、徘徊の監視を必要とする被監視者が使用するベッド１０の近傍に設置する。離床センサ１が離床を検出した後に、その離床センサ１が設置されているベッド１０と同一のベッド１０の近傍に設置されている足元センサ２がベッド１０の近傍の人を検出した場合に、タイマー部７による時間の計測を開始させる。タイマー部７が計測した時間が所定時間となっても、Ｉ／Ｆ部６が離床検出信号を継続して入力していると制御部４にて判断した場合に、制御部４は、報知部８を動作させて、被監視者が徘徊していることを報知するようにしている。これにより、被監視者がベッド１０から起き上がって離床センサ１が離床を検出し、起き上がった被監視者が床に足を付けて足元センサ２がベッド１０の近傍の人を検出した場合や、被監視者がベッド１０から起き上がって離床センサ１が離床を検出し、起き上がった被監視者が立ち上がって足元センサ２がベッド１０の近傍の人を検出して、被監視者が出歩いた場合には、所定時間が経過するまでに被監視者が着床すれば、報知が行われない。また、離床センサ１のみが離床を検出した場合には、被監視者がベッド１０から起き上がっただけであると判断されて報知が行われない。また、足元センサ２のみがベッド１０の近傍の人を検出した場合には、足元センサ２が他の被監視者や監視者を検出しただけであると判断されて報知が行われない。従って、被監視者が徘徊していることを正確に監視者に知らせることができる。
【００３２】
なお、前述した実施形態では、離床センサ１は、赤外線センサにより構成されているが、これに限定されない。例えば、離床センサ１は、シート状センサや超音波センサなどにより構成されるようにしても良い。
【００３３】
また、前述した実施形態では、足元センサ２は、シート状センサにより構成されているが、これに限定されない。例えば、赤外線センサや超音波センサなどにより構成されるようにしても良い。
【００３４】
また、前述した実施形態では、制御部４は、離床センサ１が離床を検出した後に、足元センサ２がベッド１０の近傍の人を検出した場合に、タイマー部７を動作させているが、これに限定されない。例えば、制御部４は、離床センサ１が離床を検出した場合に、タイマー部７を動作させるようにしても良い。
【００３５】
また、前述した実施形態では、Ｉ／Ｆ部６が離床センサ１から出力された離床検出信号に含まれる離床センサ識別情報により、制御部４が離床を検出した離床センサ１を特定しているが、これに限定されない。例えば、ベッド１０毎の入力端子をＩ／Ｆ部６に設け、離床センサ１から出力された離床検出信号を入力した入力端子を特定することにより、制御部４が離床を検出した離床センサ１を特定するようにしても良い。この場合、入力端子を識別するための入力端子情報とその入力端子に接続されている離床センサ１の離床センサ識別情報とを関連付けて記憶部５に記憶しておく必要がある。
【００３６】
また、前述した実施形態では、Ｉ／Ｆ部６が足元センサ２から出力された足元検出信号に含まれる足元センサ識別情報により、制御部４がベッド１０の近傍に居る人を検出した足元センサ２を特定しているが、これに限定されない。例えば、ベッド１０毎の入力端子をＩ／Ｆ部６に設け、足元センサ２から出力された離床検出信号を入力した入力端子を特定することにより、制御部４がベッド１０の近傍に居る人を検出した足元センサ２を特定するようにしても良い。この場合、入力端子を識別するための入力端子情報とその入力端子に接続されている足元センサ２の足元センサ識別情報とを関連付けて記憶部５に記憶しておく必要がある。
【００３７】
その他、徘徊検出システムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００３８】
１    離床センサ
２    足元センサ
３    報知装置
４    制御部
５    記憶部
６    インターフェース（Ｉ／Ｆ）部
７    タイマー部
８    報知部
１０    ベッド
【図１】
2010273939.tif 000003
【図２】
2010273939.tif 000004
【図３】
2010273939.tif 000005